(57)【要約】  出射する光の明るさを確保しつつ、該出射する光の方向を揃えることができるホーン型光ダクト装置および該光ダクト装置を用いた採光装置を提供する。  複数の光ダクト１１−１乃至１１−４が並べて配置された構成を有するホーン型光ダクト装置を設ける。各光ダクトは、内面が鏡面であって、光入射側の開口から取り込んだ光を、内面で反射させながら光出射側の開口まで搬送して光出射側の開口から放光する。また、各光ダクトは、該光ダクト内を搬送される光の進行方向に向かって断面積が大きくなるように構成されている。
2009008159.tif 000002
【特許請求の範囲】
【請求項１】
内面が鏡面であって、光入射側の開口から取り込んだ光を、内面で反射させながら光出射側の開口まで搬送して光出射側の開口から放光する光ダクトを有し、
上記光ダクトは、複数並べて配置され、各光ダクトは光の進行方向に向かって断面積が大きくなるように構成されている
ことを特徴とするホーン型光ダクト装置。
【請求項２】
自然光を取り込み、取り込んだ自然光を目的とする領域に導く採光装置であって、
上記採光装置は、ホーン型光ダクト装置を備え、
上記ホーン型光ダクト装置は、内面が鏡面であって、光入射側の開口から取り込んだ光を、内面で反射させながら光出射側の開口まで搬送して光出射側の開口から放光する光ダクトを有し、
上記光ダクトは、複数並べて配置され、各光ダクトは、光の進行方向に向かって断面積が大きくなるように構成されている
ことを特徴とする採光装置。
【請求項３】
上記ホーン型光ダクト装置の各光ダクトの軸方向が異なっており、光入射側の開口から取り込んだ光を異なった方向に導くように構成されている
ことを特徴とする請求項２に記載の採光装置。
【発明の詳細な説明】
【技術分野】
【０００１】
本発明は、出射する光の方向を揃えることができるホーン型光ダクト装置および該光ダクト装置を備える採光装置に関する。
【背景技術】
【０００２】
近年省エネルギーな二酸化炭素の排出削減による環境保護により環境保護の必要性が注目されており、この要望に応えるための手段の一つとして、太陽光を内面を反射率の高い部材で構成したダクトを介して室内に取り込み、照明用光源として利用する光ダクト装置が提案されている（例えば特許文献１参照）。
例えば、特許文献１の図５には、採光口から太陽光を光ダクト内部に取り込んで、下方に搬送する光ダクトを持つ垂直型光ダクト装置が開示されている。
特許文献１に開示されている垂直型光ダクト装置に代表される、従来の垂直型光ダクト装置は、一般に、光ダクトの長手方向の軸に垂直な方向に切ったときの断面の面積が、該光ダクトのどの部分においても同じであるように構成されている。【０００３】
図１０は、従来の垂直型光ダクト装置が備える光ダクトの例を示す図である。
図１０に示す光ダクト２０は、光入射側の開口である開口２１から太陽光（自然光）を取り込んで、図１０中の矢印に示すように、該取り込んだ光を光ダクト２０の内面で反射させながら光ダクト２０の下部に搬送し、光出射側の開口である開口２２から光を出射する。光ダクト２０は、光ダクト２０の長手方向の軸に垂直な方向に切ったときの断面の面積が、該光ダクト２０のどの部分においても同じであるように構成されている。従って、光ダクト２０の下部に搬送されて開口２２から出射する光の出射角は、開口２１から光ダクト２０内に入射する自然光の入射角と等しい。上記入射角は、入射する光が光ダクト２０の長手方向の軸となす角度であり、出射角は、出射する光が光ダクト２０の長手方向の軸となす角度である。【０００４】
【特許文献１】特開２０００−１４９６２８号公報
【発明の開示】
【発明が解決しようとする課題】
【０００５】
しかし、図１０に示す従来の光ダクト２０では、自然光の入射角が時間とともに変化すると、光ダクト２０から出射する光の出射角も該入射角の変化に応じて該入射角に等しくなるように変化するため、出射する光の出射方向のばらつきが大きくなる。従って、従来の光ダクト２０によっては、時間が経過するとともに、開口２１から取り込んだ自然光を目的とする領域に導くことができなくなる。また、一般に、光ダクトでは、光ダクト内に取り込まれた光が該光ダクトの内面で反射する回数を減らして、該取り込んだ光の減衰を防ぐことにより、光出射側の明るさを確保することが望ましいが、図１０に示す従来の光ダクト２０は、光ダクト２０の軸に垂直な方向に切ったときの断面の面積が、該光ダクト２０のどの部分においても同じになるように構成されているため、特に、該光ダクト２０の長手方向の寸法が大きい場合、光ダクト２０内に取り込まれた光が該光ダクトの内面で反射する回数が多くなって、光出射側の明るさを確保できない恐れがある。
本発明は、出射する光の明るさを確保しつつ、該出射する光の方向を揃えることができるホーン型光ダクト装置および該光ダクト装置を備える採光装置の提供を目的とする。
【課題を解決するための手段】
【０００６】
上記課題を解決するため、本発明においては、次のようにして前記課題を解決する。
（１）内面が鏡面であって、光入射側の開口から取り込んだ光を、内面で反射させながら光出射側の開口まで搬送して光出射側の開口から放光する光ダクトを有し、上記光ダクトは、複数並べて配置され、各光ダクトは光の進行方向に向かって断面積が大きくなるように構成されているホーン型光ダクト装置を設ける。
（２）自然光を取り込み、取り込んだ自然光を目的とする領域に導く採光装置を設ける。上記採光装置は、ホーン型光ダクト装置を備える。また、上記ホーン型光ダクト装置は、内面が鏡面であって、光入射側の開口から取り込んだ光を、内面で反射させながら光出射側の開口まで搬送して光出射側の開口から放光する光ダクトを有する。また、上記光ダクトは、複数並べて配置され、各光ダクトは、光の進行方向に向かって断面積が大きくなるように構成されている。
（３）上記（２）の採光装置において、上記ホーン型光ダクト装置の各光ダクトの軸方向が異なっており、光入射側の開口から取り込んだ光を異なった方向に導くように構成されている。
【発明の効果】
【０００７】
本発明においては、以下の効果を得ることができる。
（１）本発明のホーン型光ダクト装置では、光の進行方向に向かって断面積が大きくなるように構成されている複数の光ダクトが並べて配置されている。従って、各光ダクトから出射する光の出射角は、該光が各光ダクトに入射したときの入射角より小さくなる。また、各光ダクトに入射した該光の各光ダクトの内面における反射回数が抑えられる。従って、本発明のホーン型光ダクト装置によれば、光出射側の開口から出射する光の明るさを確保しつつ、該出射する光の方向を揃えることが可能となる。
（２）本発明の採光装置は、自然光を取り込み、取り込んだ自然光を目的とする領域に導く採光装置である。また、本発明の採光装置が備えるホーン型光ダクト装置では、光の進行方向に向かって断面積が大きくなるように構成されている複数の光ダクトが並べて配置されている。従って、本発明の採光装置によれば、太陽の位置にかかわらず、光出射側の開口から出射する自然光の明るさを確保しつつ、該出射する自然光の方向を揃えることが可能となる。
（３）本発明の採光装置が備えるホーン型光ダクト装置の各光ダクトの軸方向が異なっており、光入射側の開口から取り込んだ光を異なった方向に導くように構成されている。従って、本発明の採光装置によれば、該採光装置から出射する自然光によって照らされる領域の明るさを所望の明るさにすることが可能となる。
【図面の簡単な説明】
【０００８】
【図１】本発明の第１の実施の形態に係るホーン型光ダクト装置の構成例を示す図である。
【図２】ホーン型光ダクト装置を構成する光ダクトの例を示す図である。
【図３】本発明のホーン型光ダクト装置の機能を説明する図である。
【図４】本発明の第２の実施の形態に係るホーン型光ダクト装置の構成例を示す図である。
【図５】本発明の第３の実施の形態に係るホーン型光ダクト装置の構成例を示す図である。
【図６】本発明のホーン型光ダクト装置の適用例を示す図である。
【図７】本発明のホーン型光ダクト装置の他の適用例を示す図（１）である。
【図８】本発明のホーン型光ダクト装置の他の適用例を示す図（２）である。
【図９】本発明のホーン型光ダクト装置の他の適用例を示す図（３）である。
【図１０】従来の垂直型光ダクト装置が備える光ダクトの例を示す図である。
【符号の説明】
【０００９】
１０、１１−１、１１−２、１１−３、１１−４、２０、４１−１、４１−２、４１−３、４１−４、４１−５、４１−６、５１−１、５１−２、５１−３、５１−４、５１−５、５１−６、５１−７  光ダクト
１２−０、１２−１、１２−２、１２−３、１２−４、１３−０、１３−１、１３−２、１３−３、１３−４、２１、２２、５２−１、５３−１、５３−２、５３−３、５３−４、５３−５、５３−６、５３−７  開口
６０、２００  室内
６１  窓面                                                                      ６２  床面
１００、１０１  ビル
１０２  吹き抜け
２０１  天井面
３００  ホーン型ダクト装置
３０１  領域
【発明を実施するための最良の形態】
【００１０】
図１は、本発明の第１の実施の形態に係るホーン型光ダクト装置の構成例を示す図である。
図１（Ａ）は、該ホーン型光ダクト装置の側面図であり、図１（Ｂ）は、該ホーン型光ダクト装置を図１（Ａ）のＡ方向から見た図を示す。本発明は、例えば、図１（Ａ）、（Ｂ）に示すホーン型光ダクト装置として実現することができる。また、本発明は、例えば、図１（Ａ）、（Ｂ）に示すホーン型光ダクト装置を備える採光装置であって、自然光を取り込み、取り込んだ自然光を目的とする領域に導く採光装置として実現することができる。【００１１】
図１（Ａ）、（Ｂ）に示すホーン型光ダクト装置は、光ダクト１１−１乃至１１−４から構成される。光ダクト１１−１乃至１１−４は、並べて配置されている。各々の光ダクトは、内面が鏡面であって、光入射側の開口から取り込んだ光を、内面で反射させながら光出射側の開口まで搬送して光出射側の開口から放光する。例えば、光ダクト１１−１は、光入射側の開口１２−１から光を取り込んで光出射側の開口１３−１から放光する。光ダクト１１−２は、光入射側の開口１２−２から光を取り込んで光出射側の開口１３−２から放光する。光ダクト１１−３は、光入射側の開口１２−３から光を取り込んで光出射側の開口１３−３から放光する。光ダクト１１−４は、光入射側の開口１２−４から光を取り込んで光出射側の開口１３−４から放光する。
また、各光ダクトは、該光ダクト内を搬送される光の進行方向に向かって断面積が大きくなるように構成されている。なお、本発明のホーン型光ダクト装置が、任意の数の光ダクトを備えるようにしてもよい。【００１２】
図２は、図１に示すホーン型光ダクト装置を構成する光ダクトの例を示す図である。
図２では、光ダクト１１−１を例にとって説明する。図１に示す光ダクト１１−２、１１−３、１１−４は、光ダクト１１−１と同様の構成を有するので、光ダクト１１−２、１１−３、１１−４の構成の説明については省略する。図２に示すように、光ダクト１１−１は、光入射側の開口である開口１２−１から光（例えば、自然光）を取り込んで、図２中の矢印に示すように、該取り込んだ光を光ダクト１１−１の内面で反射させながら光ダクト１１−１の下部に搬送し、光出射側の開口である開口１３−１から光を出射（放光）する。光ダクト１１−１は、光ダクト１１−１の長手方向の軸に垂直な方向に切ったときの断面の面積が、該光ダクト１１−１内を搬送される光の進行方向に向かって大きくなるように構成されている。従って、図２中に示すように、光ダクト１１−１の下部に搬送されて開口１３−１から出射する光の出射角θ２は、開口１２−１から光ダクト１１−１内に入射する自然光の入射角θ１よりも小さくなる。入射角θ１は、入射する光が光ダクト１１−１の長手方向の軸となす角度であり、出射角は、出射する光が光ダクト１１−１の長手方向の軸となす角度である。【００１３】
図３は、本発明のホーン型光ダクト装置の機能を説明する図である。
図３（Ａ）は、光ダクト内を搬送される光の進行方向に向かって断面積が大きくなるように構成された光ダクト１０を示し、図３（Ｂ）は、図１に示すホーン型光ダクト装置が備える光ダクト１１−１及び光ダクト１１−２を示す。図３（Ｂ）に示す光ダクト１１−１、１１−２は、それぞれ、図３（Ａ）に示す光ダクト１０を１／２の大きさに縮小して得られる光ダクトである。【００１４】
図３（Ａ）には、光ダクト１０の光入射側の開口１２−０に、それぞれ、入射角３０°、４５°、６０°で入射した光と、該入射した各々の光が光ダクト１０の下部に搬送されて光出射側の開口１３−０から出射する様子が矢印で示される。図３（Ａ）に示すように、入射角３０°で入射した光は、開口１３−０から出射角１９°で出射する。入射角４５°で入射した光は、開口１３−０から出射角２８°で出射する。また、入射角６０°で入射した光は、開口１３−０から出射角３８°で出射する。すなわち、光ダクト１０の光出射側の開口１３−０から出射する光の出射角は、該光が該光ダクト１０の光入射側の開口１２−０から入射したときの入射角より小さくなる。光ダクト１０は、光ダクト１０内を搬送される光の進行方向に向かって断面積が大きくなるように構成されているので、光ダクト１０に入射した光は、該光ダクト１０の内面を反射する毎に、該光ダクト１０の長手方向の軸となす角度が小さくなるからである。
更に、光ダクト１０が、光ダクト１０内を搬送される光の進行方向に向かって断面積が大きくなるように構成されているため、光ダクト１０に入射した光の該光ダクト１０の内面における反射回数が抑えられる。従って、光ダクト１０によれば、開口１３−０から出射する光の明るさを確保することが可能となる。【００１５】
光ダクト１０を１／２の大きさに縮小して得られる、図３（Ｂ）に示す光ダクト１１−１、１１−２においても、光ダクトに入射する光の入射角と該光が光ダクトから出射するときの出射角との関係は、図３（Ａ）を参照して前述した光ダクト１０における光の入射角と出射角との関係と同様である。すなわち、光ダクト１１−１の光出射側の開口１３−１から出射する光の出射角は、該光が該光ダクト１１−１の光入射側の開口１２−１から入射したときの入射角より小さくなる。また、光ダクト１１−２の光出射側の開口１３−２から出射する光の出射角は、該光が該光ダクト１１−２の光入射側の開口１２−２から入射したときの入射角より小さくなる。例えば、図３（Ｂ）に示すように、入射角４５°で光ダクト１１−１、１１−２に入射した光は、それぞれ、開口１３−１、１３−２から出射角２８°で出射する。また、図３（Ｂ）では図示を省略するが、入射角３０°で光ダクト１１−１、１１−２に入射した光は、開口１３−１、１３−２から出射角１９°で出射する。また、入射角６０°で光ダクト１１−１、１１−２に入射した光は、開口１３−１、１３−２から出射角３８°で出射する。【００１６】
すなわち、光ダクト１１−１、１１−２は、自光ダクトから出射する光が自光ダクトの軸となす角度を、自光ダクトに入射する光が自光ダクトの軸となす角度より小さくして、自光ダクトから出射する光の方向を揃える（出射する光の方向のばらつきを抑える）機能を有する。従って、上記図３（Ｂ）に示す光ダクト１１−１、１１−２と、該光ダクト１１−１、１１−２と同様の構成を有する光ダクト１１−３、１１−４（図１を参照）とを備える本発明の第１の実施の形態におけるホーン型光ダクト装置（図１を参照）は、該ホーン型光ダクト装置から出射する光の方向を揃えることが可能となる。
本発明のホーン型光ダクト装置によれば、時間とともに入射角が変わる自然光が該ホーン型光ダクトに入射する場合においても、該ホーン型光ダクトを構成する光ダクトの内面を反射しながら搬送され、各々の光ダクトから出射する自然光の方向を揃えることが可能となる。従って、該ホーン型光ダクト装置を備える本発明の採光装置は、自然光を取り込み、取り込んだ自然光を目的とする領域に導くことが可能となる。【００１７】
更に、図３（Ａ）に示す光ダクト１０と同様に、図３（Ｂ）に示す光ダクト１１−１、１１−２は、それぞれ、光ダクト１１−１内、１１−２内を搬送される光の進行方向に向かって断面積が大きくなるように構成されているため、各々の光ダクトに入射した光の各々の光ダクトの内面における反射回数を抑えて光の減衰を小さくすることができる。
従って、光ダクト１１−１、１１−２と、該光ダクト１１−１、１１−２と同様の構成を有する光ダクト１１−３、１１−４とを並べて配置することによって構成される本発明の第１の実施の形態におけるホーン型光ダクト装置（図１を参照）によれば、該ホーン型光ダクト装置から出射する光の明るさをある程度確保することができる。
また、図３（Ｂ）に示す光ダクト１１−１、１１−２は、図３（Ａ）に示す光ダクト１０の大きさの１／２であるが、光ダクト１１−１の光出射側の開口１３−１の面積と光ダクト１１−２の光出射側の開口１３−２の面積との合計値は、図３（Ａ）に示す光ダクト１０の光出射側の開口１３−０の面積と等しいので、光ダクト１１−１から出射する光の量と光ダクト１１−２から出射する光の量との合計値は、光ダクト１０から出射する光の量とほぼ同じである。従って、本発明のホーン型光ダクト装置によれば、装置全体をコンパクト化しつつ、該ホーン型光ダクト装置から出射する光の明るさをある程度確保することが可能となる。【００１８】
図４は、本発明の第２の実施の形態に係るホーン型光ダクト装置の構成例を示す図である。
図４（Ａ）は、該ホーン型光ダクト装置の側面図であり、図４（Ｂ）は、該ホーン型光ダクト装置を図４（Ａ）のＡ方向から見たときの、該ホーン型光ダクト装置の光出射側の開口の配置を示す図である。図４（Ａ）に示すホーン型光ダクト装置は、光ダクト４１−１、４１−２、４１−３、４１−４、４１−５、４１−６が並べて配置された構成を有している。各々の光ダクトは、自光ダクトの上端で隣の光ダクトと接触し、該上端以外の部分においては、該隣の光ダクトとの間に隙間があくように配置されている。各々の光ダクトは、内面が鏡面であり、自光ダクトの光入射側の開口から取り込んだ光を内面で反射させながら自光ダクトの下部に搬送し、自光ダクトの光出射側の開口Ｂから放光する。また、各々の光ダクトは、自光ダクト内を搬送される光の進行方向に向かって断面積が大きくなるように構成されている。また、各光ダクトの軸方向は異なっており、光入射側の開口から取り込んだ光を異なった方向に導くように構成されている。【００１９】
なお、本発明は、例えば、図４（Ａ）、（Ｂ）に示すホーン型光ダクト装置を備える採光装置であって、自然光を取り込み、取り込んだ自然光を目的とする領域に導く採光装置として実現することができる。
図４に示すホーン型光ダクト装置又は該ホーン型光ダクト装置を備える採光装置によれば、自装置から出射する光の明るさを確保しながら、該出射する光を目的とする領域に導くことが可能となる。【００２０】
図５は、本発明の第３の実施の形態に係るホーン型光ダクト装置の構成例を示す図である。
図５（Ａ）は、該ホーン型光ダクト装置の側面図であり、図５（Ｂ）は、該ホーン型光ダクト装置を図５（Ａ）のＡ方向から見たときの、該ホーン型光ダクト装置の光出射側の開口の配置を示す図である。図５（Ａ）に示すホーン型光ダクト装置は、光ダクト５１−１、５１−２、５１−３、５１−４、５１−５、５１−６、５１−７が、互いに重ならないように並べて配置された構成を有している。図５（Ａ）中の５２−１は、各々の光ダクトに共通の光出射側の開口である。光ダクト５１−１、５１−２、５１−３、５１−４、５１−５、５１−６、５１−７は、光出射側の開口として、それぞれ、開口５３−１、５３−２、５３−３、５３−４、５３−５、５３−６、５３−７を備える。各々の光ダクトは、内面が鏡面であり、開口５２−１から取り込まれた光を自光ダクトの内面で反射させながら自光ダクトの下部に搬送し、自光ダクトの光出射側の開口から放光する。また、各々の光ダクトは、自光ダクト内を搬送される光の進行方向に向かって断面積が大きくなるように構成されている。また、各光ダクトの軸方向は異なっており、光入射側の開口から取り込んだ光を異なった方向に導くように構成されている。【００２１】
なお、本発明は、例えば、図５（Ａ）、（Ｂ）に示すホーン型光ダクト装置を備える採光装置であって、自然光を取り込み、取り込んだ自然光を目的とする領域に導く採光装置として実現することができる。
図５に示すホーン型光ダクト装置又は該ホーン型光ダクト装置を備える採光装置によれば、自装置から出射する光の明るさを確保しながら、該出射する光を目的とする領域に導くことが可能となる。特に、図５に示すホーン型光ダクト装置又は該ホーン型光ダクト装置を備える採光装置は、各光ダクトの配置位置の自由度が高いため、自装置から出射される光によって照らされる領域の明るさを所望の明るさにすることが可能となる。
以上説明した例では、光ダクトの断面が矩形の場合について説明したが、断面が円など、その他の形状であってもよい。【００２２】
図６は、本発明のホーン型光ダクト装置の適用例を示す図である。この例では、図１を参照して前述した本発明のホーン型光ダクト装置を、ビル１００とビル１０１の間の吹き抜け１０２上部に設置する。該吹き抜け１０２上部に設置された本発明のホーン型光ダクト装置を構成する各々の光ダクト（光ダクト１１−１乃至１１−４）は、自光ダクトに入射した自然光の出射方向を揃える。図６に示す本発明のホーン型光ダクト装置の適用例によれば、太陽の位置にかかわらず、該吹き抜け１０２の下方の深い位置を照らすことが可能となる。なお、本発明のホーン型光ダクト装置を、隣家が接近して暗くなってしまった家と家との隙間を自然光で照らすのに用いてもよい。【００２３】
図７は、本発明のホーン型光ダクト装置の他の適用例を示す図である。この例では、図１を参照して前述したホーン型光ダクト装置を構成する各々の光ダクト（光ダクト１１−１乃至１１−４）の軸の方向を、各々の光ダクトから出射する自然光が照らす領域の明るさが均一化するように、個々に調整した上で、該ホーン型光ダクト装置をビル１００とビル１０１の間の吹き抜け１０２上部に設置する。図７に示す本発明のホーン型光ダクト装置の適用例によれば、太陽の位置にかかわらず、該吹き抜け１０２の、自然光によって照らされる領域の明るさを均一化することが可能となる。【００２４】
図８は、本発明のホーン型光ダクト装置の他の適用例を示す図である。この例では、本発明のホーン型光ダクト装置を室内２００の天井面２０１に設置して、該室内２００の特定の領域または特定の被写体に対するスポットライトとして用いる。すなわち、本発明のホーン型光ダクト装置３００を構成する各々の光ダクトの軸の方向を調整して、各々の光ダクトから放光する自然光が、図８に示す室内２００の特定の領域３０１を特に明るく照らすようにする。図８に示す本発明のホーン型光ダクト装置の適用例によれば、太陽の位置にかかわらず、特定の領域または特定の被写体のみを明るく照らすことが可能となる。例えば、自動車のショールームの天井面に本発明のホーン型光ダクト装置を設置し、該ホーン型光ダクト装置で取り込んだ自然光で該ショールーム内に展示されている自動車に対してスポットライトを当てることが可能となる。
すなわち、時間とともにホーン形光ダクトに入射する太陽光の角度が大きく変わっても、ホーン形光ダクトから出射する光の出射角の変化は小さく抑えられる。
したがって、ホーン形光ダクトの入射側、出射側の開口径、光進行方向の光ダクトの長さを適宜設計することにより、特定の領域に光を集中させて照射することができる。特に、図８に示すように、長さ、形状の異なるホーン形光ダクトを複数組み合わせて、光が所定の領域に集中することにより、効果的に所定の領域に光を集光させることができ、スポットライト的な効果を得ることができる。【００２５】
図９は、本発明のホーン型光ダクト装置の他の適用例を示す図である。この例では、図１を参照して前述した光ダクト１１−１乃至１１−４からなるホーン型光ダクト装置を図９に示すように窓面６１に設置する。該ホーン型光ダクト装置が、自然光を取り込み、該自然光の方向を揃えて、室内６０における、窓面６１に近い位置にある床面６２に対して放光する。図９に示す本発明のホーン型光ダクト装置の適用例によれば、太陽の位置にかかわらず、自然光を窓面６１に近い位置にある床面６２に向けることができるため、自然光が直接室内に射し込むことによる眩しさを防ぐことができる。
【図１】
2009008159.tif 000003
【図２】
2009008159.tif 000004
【図３】
2009008159.tif 000005
【図４】
2009008159.tif 000006
【図５】
2009008159.tif 000007
【図６】
2009008159.tif 000008
【図７】
2009008159.tif 000009
【図８】
2009008159.tif 000010
【図９】
2009008159.tif 000011
【図１０】
2009008159.tif 000012
【国際調査報告】
2009008159.tif 000013
2009008159.tif 000014
2009008159.tif 000015
2009008159.tif 000016